(57)【要約】【課題】白色度および黒色度を低下させることなく鮮明な画像表示がいつでも行える情報表示用パネルを提供する。【解決手段】電界駆動可能な粒子を含んで構成される表示媒体を基板間の隔壁で互いに隔離されたセル空間に封入し、両基板側に設けた対電極から電界を付与することで表示媒体を移動させることによって画像等の情報表示を書換えできるドットマトリックス型表示方式の情報表示用パネルにおいて、１表示単位（１画素ともいう）を１つのセルで構成し、各セルに封入する表示媒体を着色帯電粒子と前記着色帯電粒子とは反対の帯電極性を有する透明無色の帯電粒子とから構成し、各セルには、中央凸状部材を設け、中央凸状部材の少なくとも上面の色を前記着色帯電粒子の色とは異なる色とする。【選択図】図１
2009128766.tif 000002
【特許請求の範囲】
【請求項１】
電界駆動可能な粒子を含んで構成される表示媒体を基板間の隔壁で互いに隔離されたセル空間に封入し、両基板側に設けた対電極から電界を付与することで表示媒体を移動させることによって画像等の情報表示を書換えできるドットマトリックス型表示方式の情報表示用パネルにおいて、
１表示単位（１画素ともいう）を１つのセルで構成し、各セルに封入する表示媒体を着色帯電粒子と前記着色帯電粒子とは反対の帯電極性を有する透明無色の帯電粒子とから構成し、各セルには、中央凸状部材を設け、中央凸状部材の少なくとも上面の色を前記着色帯電粒子の色とは異なる色とすることを特徴とする情報表示用パネル。
【請求項２】
電界駆動可能な粒子を含んで構成される表示媒体を基板間の隔壁で互いに隔離されたセル空間に封入し、両基板側に設けた対電極から電界を付与することで表示媒体を移動させることによって画像等の情報表示を書換えできるドットマトリックス型表示方式の情報表示用パネルにおいて、
１表示単位（１画素ともいう）を複数のセルで構成し、少なくとも１つのセルに封入する表示媒体を第１の色の着色帯電粒子と前記第１の色の着色帯電粒子とは反対の帯電極性を有する透明無色の帯電粒子とから構成し、少なくとも別のセルに封入する表示媒体を第２の色の着色帯電粒子であって前記第１の着色粒子が有する帯電極性と反対の帯電極性を有する着色帯電粒子と、前記第２の色の着色帯電粒子とは反対の帯電極性を有する透明無色の帯電粒子とから構成し、各セルには、中央凸状部材を設け、中央凸状部材の少なくとも上面の色を、そのセルに封入した着色帯電粒子の色とは別の色である別のセルに封入した着色帯電粒子の色と同じ色とすることを特徴とする情報表示用パネル。
【請求項３】
透明無色の帯電粒子の平均粒子径が、同じセルに封入した着色帯電粒子の平均粒子径よりも小さいことを特徴とする請求項１または２に記載の情報表示用パネル。
【請求項４】
前記中央凸状部材と前記セルを形成する隔壁とにより形成される空間を、表示媒体が配置される空間とすることを特徴とする請求項１〜３のいずれか１項に記載の情報表示用パネル。
【請求項５】
前記中央凸状部材が背面側基板のセル中央に設けられ、前記中央凸状部材と前記セルを形成する全ての隔壁との間に表示媒体が配置される空間を形成することを特徴とする請求項１〜４のいずれか１項に記載の情報表示用パネル。
【請求項６】
前記中央凸状部材の高さＨｔが、基板間の距離Ｈｗに対して、
Ｈｗ／４≦Ｈｔ≦Ｈｗ／２
を満たすことを特徴とする請求項１〜５のいずれか１項に記載の情報表示用パネル。
【請求項７】
表示媒体が配置される空間における、前記中央凸状部材側面部と隔壁との距離Ｗｔが、表示媒体を構成する粒子の平均粒子径ｄ（０．５）に対して、
３×ｄ（０．５）≦Ｗｔ
を満たすことを特徴とする請求項１〜６のいずれか１項に記載の情報表示用パネル。
【請求項８】
中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことを特徴とする請求項１〜７のいずれか１項に記載の情報表示用パネル。
【発明の詳細な説明】
【技術分野】
【０００１】
本発明は、電界駆動可能な粒子を含んで構成される表示媒体を基板間の隔壁で互いに隔離されたセル空間に封入し、両基板側に設けた対電極から電界を付与することで表示媒体を移動させることによって画像等の情報表示を書換えできるドットマトリックス型表示方式の情報表示用パネルに関するものである。
るドットマトリックス型表示方式の情報表示用パネルに関するものである。
【背景技術】
【０００２】
従来、液晶表示装置（ＬＣＤ）に代わる情報表示装置に用いる表示用パネルとして、帯電粒子を液体中で移動させる表示方式（電気泳動方式）や、帯電粒子を気体中で移動させる表示方式（気中移動方式）の情報表示用パネルを搭載した情報表示装置が知られている。
【０００３】
帯電粒子移動方式表示用パネルとしては、少なくとも一方が透明な対向する２枚の基板間の空間に、少なくとも１種類以上の粒子から構成され光学的反射率および帯電性を有する表示媒体を少なくとも１種類以上封入し、表示媒体に電界を付与することによって、表示媒体を移動させて画像等の情報を表示する方式の情報表示用パネルを用いたものが知られている（例えば特許文献１）。
【０００４】
上述した帯電粒子で構成された表示媒体を電界駆動する方式の情報表示用パネルの代表例を、図１７〜図１８を用いて説明する。電界駆動可能な帯電粒子で構成された表示媒体３３を２枚の基板３１、３２間の空間に封入し、基板３１、３２のそれぞれに設けた電極３５、３６から電界を付与することで、表示媒体３３を移動させて画像等の情報表示を書き換えできるドットマトリックス型表示方式の情報表示用パネルを示している。また、表示媒体３３を封入する基板３１、３２間の空間は、隔壁３４により複数のセル（小部屋）３７で仕切られている。これにより、封入した表示媒体３３が偏ることを防止できる。
【０００５】
図１７（ａ）、（ｂ）に示す例では、それぞれのセル３７に、白色表示媒体３３Ｗと黒色表示媒体３３Ｂとの２色の組み合わせの表示媒体を封入して白黒ドット表示している。図１７（ａ）、（ｂ）ともに全ての白色表示媒体を表示面側基板に移動させて、白表示を観察者に対して行っている。図１７（ａ）と図１７（ｂ）との相違点は、図１７（ａ）に示す例では画素（表示単位）をライン電極３５、３６が交差して形成する対電極で構成しているのに対し、図１７（ｂ）に示す例では画素（表示単位）を個別電極３５、３６からなる対電極で構成している点である。セル内空間を気体で満たしてもよいし、絶縁液体で満たしてもよい。
【０００６】
図１８（ａ）、（ｂ）に示す例では、３つのセル３７を表示単位（１画素：１ドット）とし、それぞれのセル３７の視認側に、３原色カラーフィルタ４１Ｒ、４１Ｇ、４１ＢＬを配置し、白色表示媒体３３Ｗと黒色表示媒体３３Ｂの２色の表示媒体によってカラー表示している。図１８（ａ）、（ｂ）とも観察者に対し青色ドット表示を行っている。図１８（ａ）と図１８（ｂ）との相違点は、図１８（ａ）に示す例では表示単位とする３つのセルに対応するライン電極３５、３６が交差して形成する対電極で１画素（ピクセル）を構成しているのに対し、図１８（ｂ）に示す例では表示単位とする３つのセルに対応する個別電極３５、３６からなる対電極で１ピクセルを構成している点である。セル内空間を気体で満たしてもよいし、絶縁液体で満たしてもよい。
【０００７】
【特許文献１】国際公開第２００３／０５０６０６号パンフレット
【発明の開示】
【発明が解決しようとする課題】
【０００８】
上述した帯電粒子移動方式の情報表示用パネルでは、２枚の基板間に、隔壁で形成されたセルやマイクロカプセル型のセルを配置し、そのセルの１つ１つに２色の電界駆動可能な表示媒体（例えば、白色帯電粒子と黒色帯電粒子）を封入した構成としており、１つのセル内で２色の表示媒体を移動させて情報画像の表示を行っている。２色の表示媒体は電界に対して互いに反対の方向に移動しようとするため、移動時に衝突し合いスムーズに移動できない場合があった。そのため、白画像表示時に一部黒色表示媒体が混在して白色度を低下させたり、逆に、黒画像表示時に一部白色表示媒体が混在して黒色度を低下させたりする問題があった。特に、白色帯電粒子と黒色帯電粒子とはほぼ同じ大きさの粒子のため、互いに逆方向に移動するときの衝突による弊害が出やすいという問題もあった。
【０００９】
本発明の目的は上述した問題点を解消して、白色度および黒色度を低下させることなく鮮明な画像表示がいつでも行える情報表示用パネルを提供することにある。
【課題を解決するための手段】
【００１０】
本発明の情報表示用パネルの第１発明は、電界駆動可能な粒子を含んで構成される表示媒体を基板間の隔壁で互いに隔離されたセル空間に封入し、両基板側に設けた対電極から電界を付与することで表示媒体を移動させることによって画像等の情報表示を書換えできるドットマトリックス型表示方式の情報表示用パネルにおいて、１表示単位（１画素ともいう）を１つのセルで構成し、各セルに封入する表示媒体を着色帯電粒子と前記着色帯電粒子とは反対の帯電極性を有する透明無色の帯電粒子とから構成し、各セルには、中央凸状部材を設け、中央凸状部材の少なくとも上面の色を前記着色帯電粒子の色とは異なる色とすることを特徴とするものである。例えば、黒色の正帯電粒子と透明無色の負帯電粒子で構成する表示媒体を用いた情報表示用パネルでは、電界に対して黒色粒子と透明無色粒子とが互いに反対方向に移動する。黒色粒子と中央凸状部材の少なくとも上面の色（例えば白色）とによって白黒ドット表示が行える。
【００１１】
本発明の情報表示用パネルの第２発明は、電界駆動可能な粒子を含んで構成される表示媒体を基板間の隔壁で互いに隔離されたセル空間に封入し、両基板側に設けた対電極から電界を付与することで表示媒体を移動させることによって画像等の情報表示を書換えできるドットマトリックス型表示方式の情報表示用パネルにおいて、１表示単位（１画素ともいう）を複数のセルで構成し、少なくとも１つのセルに封入する表示媒体を第１の色の着色帯電粒子と前記第１の色の着色帯電粒子とは反対の帯電極性を有する透明無色の帯電粒子とから構成し、少なくとも別のセルに封入する表示媒体を第２の色の着色帯電粒子であって前記第１の着色粒子が有する帯電極性と反対の帯電極性を有する着色帯電粒子と、前記第２の色の着色帯電粒子とは反対の帯電極性を有する透明無色の帯電粒子とから構成し、各セルには、中央凸状部材を設け、中央凸状部材の少なくとも上面の色を、そのセルに封入した着色帯電粒子の色とは別の色であって、別のセルに封入した着色帯電粒子の色と同じ色とすることを特徴とするものである。各別色の着色帯電粒子を封入した少なくとも２以上のセルを１表示単位とし、この１表示単位と１対向対電極との位置を合わせてマトリックス配置してドットマトリックス表示を行う。例えば、黒色の正帯電粒子と透明無色の負帯電粒子で構成する表示媒体と、白色の負帯電粒子と透明無色の正帯電粒子で構成する表示媒体とを用いた情報表示用パネルでは、各セルにおいて電界に対して黒色粒子と透明無色粒子とが、および、白色粒子と透明無色粒子とが互いに反対方向に移動する。黒色粒子と中央凸状部材の少なくとも上面の黒色および白色粒子と中央凸状部材の少なくとも上面の白色とによって白黒ドット表示が行える。
【００１２】
また、本発明の情報表示用パネルの第１発明および第２発明において、透明無色の帯電粒子の平均粒子径が、同じセルに封入した着色帯電粒子の平均粒子径よりも小さいこと、前記中央凸状部材と前記セルを形成する隔壁とにより形成される空間を、表示媒体が配置される空間とすること、前記中央凸状部材が背面側基板のセル中央に設けられ、前記中央凸状部材と前記セルを形成する全ての隔壁との間に表示媒体が配置される空間を形成すること、が好適である。
【００１３】
また、本発明の情報表示用パネルの第１発明および第２発明において、前記中央凸状部材の高さＨｔが、基板間の距離Ｈｗに対して、
Ｈｗ／４≦Ｈｔ≦Ｈｗ／２
を満たすことが好適である。
【００１４】
また、本発明の情報表示用パネルの第１発明および第２発明において、表示媒体が配置される空間における、前記中央凸状部材側面部と隔壁との距離Ｗｔが、表示媒体を構成する粒子の平均粒子径ｄ（０．５）に対して、
３×ｄ（０．５）≦Ｗｔ
を満たすことが好適である。
【００１５】
また、本発明の情報表示用パネルの第１発明および第２発明において、中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことが好適である。
【発明の効果】
【００１６】
本発明の第１発明および第２発明によれば、１つのセル内で１色の着色帯電粒子を移動させて情報画像の表示を行うようにしたので、白画像表示時に一部黒色粒子が混在して白色度を低下させたり、黒画像表示時に一部白色粒子が混在した黒色度を低下させたりすることがなくなり表示画質が向上した。また、１つのセル内で互いに反対の帯電極性を有する２種類の帯電粒子を着色帯電粒子と無色透明帯電粒子とし、無色透明帯電粒子の大きさを、着色帯電粒子の大きさよりも小さくしたので、帯電粒子同士が移動時に互いに摩擦し合って帯電状態を保ちつつ、互いに移動しづらいといった問題も解消されるようになり、情報画像の表示ができなくなる不具合の発生がなくなった。
【発明を実施するための最良の形態】
【００１７】
まず、本発明の情報表示用パネルの基本的な構成について説明する。本発明の情報表示用パネルでは、対向する２枚の基板間の空間に封入した少なくとも１種類以上の電界駆動可能な粒子で構成された光学的反射率と帯電性とを有する表示媒体に電界が付与される。付与された電界方向にそって、帯電した表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板、中央凸状部材との電気鏡像力、分子間力、液架橋力、重力などが考えられる。
【００１８】
本発明の情報表示用パネルの例を、図１（ａ）、（ｂ）〜図５（ａ）、（ｂ）に基づき説明する。
【００１９】
図１（ａ）、（ｂ）に示す例では、黒色正帯電粒子３Ｂ＋と透明無色負帯電粒子３Ｔ−とからなる表示媒体３を、隔壁４で形成されたセル７内に封入し、１個のセルで１表示単位（画素）としている。黒色正帯電粒子３Ｂ＋と透明無色負帯電粒子３Ｔ−とは、裏面側基板１に設けた電極５（ライン電極）と表面側透明基板２に設けた電極６（ライン電極）とが交差して形成される対電極の間に電圧を印加することにより発生する電界に応じて、互いに逆方向に基板１、２と垂直に移動する。各セル７内の裏面側基板１には、少なくとも上面が白色を呈する白色中央凸状部材１１Ｗを設ける。
【００２０】
図１（ａ）、（ｂ）に示す例において、裏面側基板１の方に移動している黒色正帯電粒子３Ｂ＋は、セル７の端に位置するようになり、観察者には見えず、白色中央凸状部材１１Ｗの白色が透明無色負帯電粒子３Ｔ−を通して見える。図１（ａ）に示す例では、６表示単位（画素）で白黒交互のドット表示がされており、図１（ｂ）に示す例では、６表示単位（画素）で３表示板にずつ黒色／白色表示されている。
【００２１】
図２（ａ）、（ｂ）に示す例では、白色負帯電粒子３Ｗ−／透明無色正帯電粒子３Ｔ＋で構成した表示媒体３を封入したセル８と、黒色正帯電粒子３Ｂ＋／透明無色負帯電粒子３Ｔ−で構成した表示媒体３を封入したセル７と、の２個のセルで１表示単位（画素）としている。表示媒体３は、表示単位に対応して裏面側基板１の外側に設けた外部電極５と表面側透明基板２に設けた外部電極６とからなる外部対電極を外部電界形成手段として、外部電極対に電圧を印加することにより発生する電界に応じて、セル毎に互いに逆方向に基板１、２と垂直に移動する。白色負帯電粒子３Ｗ−／透明無色正帯電粒子３Ｔ＋で構成した表示媒体３を封入したセル８内の裏面側基板１には、少なくとも上面が黒色を呈する黒色中央凸状部材１１Ｂを設け、黒色正帯電粒子３Ｂ＋／透明無色負帯電粒子３Ｔ−で構成した表示媒体３を封入したセル７内の裏面側基板１には、少なくとも上面が白色を呈する白色中央凸状部材１１Ｗを設けている。なお、１２、１３はそれぞれ基板１、２の内表面に設けた導電部材であり、この導電部材は、表示媒体を構成する粒子と基板との付着性に関与し、導電性の最適設計に基づき設けられるが、設けなくても良い。
【００２２】
図２（ａ）、（ｂ）に示す例において、裏面側基板１の方に移動している表示媒体３は、電界の向きに応じてセル７又はセル８の端に位置するようになり、観察者には見えず、それぞれのセル７又はセル８の中央凸状部材の色が透明無色粒子を通して見える。図２（ａ）に示す例では、３表示単位（画素）で黒色表示されているパネルを、外部電界形成手段（外部対電極）にて書き換えている。また、図２（ｂ）に示す例では、３表示単位（画素）で白色表示するように書き換えたパネルを観察している。
【００２３】
図３（ａ）、（ｂ）に示す例では、白色負帯電粒子３Ｗ−／透明無色正帯電粒子３Ｔ＋で構成した表示媒体３を封入したセル８と、黒色正帯電粒子３Ｂ＋／透明無色負帯電粒子３Ｔ−で構成した表示媒体３を封入したセル７と、の２個のセルで１表示単位（画素）としている。表示媒体３は、表示単位に対応して裏面側基板１に設けた電極５（ライン電極）と表面側透明基板２に設けた電極６（ライン電極）とが交差して形成される対電極の間に電圧を印加することにより発生する電界に応じて、互いに逆方向に基板１、２と垂直に移動する。白色負帯電粒子３Ｗ−／透明無色正帯電粒子３Ｔ＋で構成した表示媒体３を封入したセル８内の裏面側基板１には、少なくとも上面が黒色を呈する黒色中央凸状部材１１Ｂを設け、黒色正帯電粒子３Ｂ＋／透明無色負帯電粒子３Ｔ−で構成した表示媒体３を封入したセル７内の裏面側基板１には、少なくとも上面が白色を呈する白色中央凸状部材１１Ｗを設けている。
【００２４】
図３（ａ）、（ｂ）に示す例において、裏面側基板１の方に移動している表示媒体３は、電界の向きに応じてセル７又はセル８の端に位置するようになり、観察者には見えず、それぞれのセル７又はセル８の中央凸状部材の色が透明無色粒子を通して見える。図３（ａ）に示す例では、３表示単位（画素）で黒色表示されている例を示し、図３（ｂ）に示す例では、３表示単位（画素）で白色表示されている例を示している。
【００２５】
図４（ａ）、（ｂ）に示す例では、白色負帯電粒子３Ｗ−／透明無色正帯電粒子３Ｔ＋で構成した表示媒体３を封入したセル７と、赤色正帯電粒子３Ｒ＋／透明無色負帯電粒子３Ｔ−で構成した表示媒体３を封入したセル８と、の２個のセルで１表示単位（画素）としている。表示媒体３は、表示単位に対応して裏面側基板１に設けた電極５（個別電極）と表面側透明基板２に設けた電極６（個別電極）とが交差して形成される対電極の間に電圧を印加することにより発生する電界に応じて、互いに逆方向に基板１、２と垂直に移動する。白色負帯電粒子３Ｗ−／透明無色正帯電粒子３Ｔ＋で構成した表示媒体３を封入したセル７内の裏面側基板１には、少なくとも上面が赤色を呈する赤色中央凸状部材１１Ｒを設け、赤色正帯電粒子３Ｒ＋／透明無色負帯電粒子３Ｔ−で構成した表示媒体３を封入したセル８内の裏面側基板１には、少なくとも上面が白色を呈する白色中央凸状部材１１Ｗを設けている。
【００２６】
図４（ａ）、（ｂ）に示す例において、裏面側基板１の方に移動している表示媒体３は、電界の向きに応じてセル７又はセル８の端に位置するようになり、観察者には見えず、それぞれのセル７又はセル８の中央凸状部材の色が透明無色粒子を通して見える。図４（ａ）に示す例では、３表示単位（画素）で白色表示されている例を示し、図４（ｂ）に示す例では、３表示単位（画素）で赤色表示されている例を示している。
【００２７】
図５（ａ）、（ｂ）に示す例では、白色負帯電粒子３Ｗ−／透明無色正帯電粒子３Ｔ＋で構成した表示媒体３を封入したセル７と、黒色正帯電粒子３Ｂ＋／透明無色負帯電粒子３Ｔ−で構成した表示媒体３を封入したセル８と、の２個のセルを単位にカラーフィルター１５（赤色カラーフィルター１５Ｒ、緑色カラーフィルター１５Ｇ、青色カラーフィルター１５ＢＬ）を設け、６セルで１表示単位（画素）としている。表示媒体３は、各カラーフィルターを設けた単位に対応して裏面側基板１に設けた電極５（個別電極）と表面側透明基板２に設けた電極６（個別電極）とが交差して形成される対電極の間に電圧を印加することにより発生する電界に応じて、互いに逆方向に基板１、２と垂直に移動する。セル内の裏面側基板１には、少なくとも上面が白色を呈する白色中央凸状部材１１Ｗを設けている。
【００２８】
図５（ａ）、（ｂ）に示す例において、裏面側基板１の方に移動している表示媒体３は、電界の向きに応じてセル７又はセル８の端に位置するようになり、観察者には見えず、それぞれのセル７又はセル８の白色中央凸状部材１１Ｗの色が透明無色粒子およびカラーフィルターを通して見えるか、表示面側の白色または黒色の表示媒体がカラーフィルターを通して見える。図５（ａ）に示す例では、１表示単位（画素）で白色表示されている様子を示し、図５（ｂ）に示す例では、１表示単位（画素）で赤色表示されている様子を示す。
【００２９】
次に、上述した本発明の情報表示用パネルにおける各構成部材について説明する。
【００３０】
異なる２色の表示媒体をそれぞれ封入した複数セルの数および配置に制約はないが、１表示単位の面積が表示する画像の精細度に係るため、１表示単位に配置するセルの数を多くするためにはセル面積を小さくしなければならず作製が困難になることになるので、セル数としては２〜１６個の範囲が好ましい。
【００３１】
背面基板側にはセル毎に中央凸状部材を設ける。セルに封入した表示媒体を背面側に移動させて表示に用いないようにする時、表示媒体はこの中央凸状部材でセル壁側に誘導されるように移動する。
【００３２】
中央凸状部材を設ける位置はセル中央部で、セル壁の四辺を空けるようにしたり、一辺、二辺、三辺を空けるようにしたりできる。この中央凸状部材とセル壁との隙間部分に表示媒体が移動してきて納まる。
【００３３】
中央凸状部材の色は、白色または透明無色とするか、同じセルに封入された表示媒体の色とは異なるもう一方の表示媒体の色と同等の色とすることが好ましい。例えば白色表示媒体を封入したセルと、黒色表示媒体を封入したセルとで白黒表示を行う場合、白色表示媒体が封入されたセルに黒色中央凸状部材を設け、黒色表示媒体が封入されたセルに白色中央凸状部材を設ける。これによって表示画面の白色濃度および黒色濃度がともに向上する。
【００３４】
情報表示用パネルは、ドットマトリックス表示ができるように、表示媒体を収納した複数のセル（小部屋）を基板間に封入し、２枚の基板それぞれに形成したライン電極を直交配置して形成したマトリックス状対向電極対によって表示媒体を駆動するようにできる。
【００３５】
情報表示用パネルは、ドットマトリックス表示ができるように、表示媒体を収納した複数のセル（小部屋）を基板間に封入し、２枚の基板それぞれに形成したマトリックス状対向個別電極対によって表示媒体を駆動するようにすることもできる。
【００３６】
セルは格子状に配置するが、形状としては三角形、四角形、五角形、六角形等の多角形や、円形、楕円形、レーストラック形などいずれでもよいし、異なる形状を組合わせてもよい。このうち表示媒体が移動しやすいものとして角丸付きの多角形（特には角丸付き四角形）、円形、楕円形、レーストラック形が好ましい。
セルを形成する隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。
情報表示用パネルのフレキシビリティを得るためには隔壁高さが低い方が好ましく、また、低電圧印加で高電界を得るためには隔壁高さが低い方が好ましいことから多くの場合に、隔壁高さを１０〜１００μｍ、好ましくは１０〜５０μｍに調製する。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００３７】
基板としては、ポリエチレンテレフタレート（ＰＥＴ）、ポリエチレンナフタレート（ＰＥＮ）、ポリエチレン（ＰＥ）、ポリプロピレン（ＰＰ）、ポリカーボネート（ＰＣ）、ポリイミド（ＰＩ）、ポリエーテルサルフォン（ＰＥＳ）、アクリル等のプラスチック系基板やガラス基板を用いる。表示面側には、このうち透明なものを用いる。背面側は透明でなくても良い。
【００３８】
中央凸状部材は、ポリエチレンテレフタレート（ＰＥＴ）、ポリエチレンナフタレート（ＰＥＮ）、ポリエチレン（ＰＥ）、ポリプロピレン（ＰＰ）、ポリカーボネート（ＰＣ）、ポリイミド（ＰＩ）、ポリエーテルサルフォン（ＰＥＳ）、アクリル等のプラスチック系シートをエンボス加工すると容易に形成できる。エンボス加工等の凸状部材形成は、プラスチック系シートにフォトリソ法やプリンティング法あるいはスパッタリング法、真空蒸着法、ＣＶＤ（化学蒸着)法、塗布法を用いて電極形成を行った後に行う。中央凸状部材を形成するプラスチック系シートとしては、圧延性に優れたアクリル、ポリエチレンテレフタレート（ＰＥＴ）、ポリエチレンナフタレート（ＰＥＮ）、ポリエチレン（ＰＥ）、ポリプロピレン（ＰＰ）シートが特に好ましい。
【００３９】
電極および中央凸状部材が形成されたプラスチック系シートを、別のシートに貼り付けて背面側基板としたり、前記プラスチック系シートをそのまま背面側基板としたりすることができる。
【００４０】
白色表示媒体を封入したセルと黒色表示媒体を封入したセルを組合わせて、1色のカラーフィルターに対応するように配置した構成を各カラーフィルター（三原色および無色）に適用してカラー表示することもできる。白色表示媒体を封入したセルと黒色表示媒体を封入したセルとの組合わせは、白色表示媒体を封入したセルを１個、黒色表示媒体を封入したセルを１個としたり、白色表示媒体を封入したセルを２個、黒色表示媒体を封入したセルを１個としたり、と自由である。カラー表示においては白色表示媒体を封入したセルを多く組合わせるのが反射効率を高められ明るい表示となるので好ましい。この場合も、カラーフィルター毎に配置するセルの数を変えることによって表示状態を調整できる。
【００４１】
次に、本発明の情報表示用パネルにおいて表示媒体を構成する白色帯電粒子および黒色帯電粒子、別の粒子群とする無色透明帯電粒子について説明する。これら帯電粒子は、そのまま該帯電粒子だけで構成したり、その他の粒子と合わせて構成したりして用いられる。
これらの帯電粒子には、その主成分となる樹脂に、必要に応じて、従来と同様に、荷電制御剤、着色剤、無機添加剤等を含ますことができる。以下に、帯電粒子を構成する樹脂、荷電制御剤、着色剤、その他添加剤を例示する。
【００４２】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、スチレンアクリル樹脂、アクリル樹脂、アクリルフッ素樹脂、ポリエチレン樹脂が好適である。
【００４３】
正帯電性の荷電制御剤としては、ポリアミン樹脂、３級アミノ基含有共重合体、及び４級アンモニウム塩基含有共重合体等の荷電制御樹脂、イミダゾール化合物、ニグロシン染料、４級アンモニウム塩、並びにトリアミノトリフェニルメタン化合物等を用いることができる。
負帯電性の荷電制御剤としては、スルホン酸基含有共重合体、スルホン酸塩基含有共重合体、カルボン酸基含有共重合体、及びカルボン酸塩基含有共重合体等の荷電制御樹脂、並びにＣｒ、Ｃｏ、Ａｌ、及びＦｅ等の金属を含有するアゾ染料、サリチル酸金属化合物、並びにアルキルサルチル酸金属酸化物等がある。
上記の荷電制御剤の中でも、荷電制御樹脂を用いることが好ましく、荷電制御樹脂は、帯電性を付与する官能基の含有量が０．５〜１５重量％であることが好ましく、１〜１０重量％であることがさらに好ましい。
【００４４】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４５】
着色剤としては、以下に例示するような、有機または無機の各種、各色の顔料、染料が使用可能である。
【００４６】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４７】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００４８】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４９】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤の配合有無によって所望の色の着色帯電粒子および無色透明帯電粒子を作製できる。
【００５０】
また、本発明の着色帯電粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００５１】
更に本発明では、帯電粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各帯電粒子のサイズが揃い、均一な表示媒体としての移動が可能となる。
【００５２】
表示媒体を構成する着色帯電粒子の平均粒子径ｄ（０．５）に対して、透明無色帯電粒子の平均粒子径ｄ（０．５）の方を小さくすることが肝要である。着色帯電粒子と透明無色帯電粒子とは互いに帯電極性が異なるため、互いに反対方向に動く。互いの粒子サイズが同じだと衝突による弊害が起こりやすいので、透明無色帯電粒子の大きさを小さくすることによって、極性の異なる粒子が互いに移動しやすくなる。
透明無色帯電粒子の平均粒子径（０．５）は、着色帯電粒子の平均粒子径ｄ（０．５）の３０〜９０％程度にするのが好適であり、３０％より小さいと着色帯電粒子に付着して離れにくくなり帯電粒子の移動性に不都合が起こるようになり、９０％を超えると帯電粒子同士の衝突による弊害が起こりやすくなる不都合がある。
【００５３】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００５４】
帯電粒子の帯電量は当然その測定条件に依存するが、情報表示用パネルにおける帯電粒子の帯電量はほぼ、初期帯電量、隔壁との接触、基板との接触、経過時間に伴う電荷減衰に依存し、特に帯電粒子の帯電挙動の飽和値が支配因子となっているということが分かった。
本発明者らは鋭意検討の結果、ブローオフ法において同一のキャリア粒子を用いて、帯電粒子の帯電量測定を行うことにより、帯電粒子の適正な帯電特性値の範囲を評価できることを見出した。
【００５５】
更に、帯電粒子で構成する表示媒体を気体中空間で駆動させる方式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば、図１（ａ）、（ｂ）において、対向する基板１、基板２に挟まれる部分から、中央凸状部材１１の占有部分、電極５、６（電極を基板内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体を構成する粒子の充填、情報表示用パネルの組み立てなどを所定湿度環境下にて行い、さらに、外からの湿度侵入を防ぐシール剤、シール方法を施すことが肝要である。
【００５６】
情報表示用パネルにおける基板と基板との間隔は、表示媒体が移動できて、コントラストを維持できればよいが、本発明では、１０〜１００μｍ、好ましくは１０〜５０μｍに調整される。
対向する基板間のセル内空間における表示媒体（着色帯電粒子および透明無色帯電粒子）の体積占有率は５〜７０％が好ましく、さらに好ましくは５〜６０％である。７０％を超える場合には表示媒体としての移動に支障をきたし、５％未満の場合にはコントラストが不明確となり易い。
【００５７】
本発明の情報表示用パネルのセルの構成例を、図６（ａ）、（ｂ）乃至図１０（ａ）〜（ｃ）に基づき説明する。各セルにおいて、対電極となる電極５、６はセル内側に封入した表示媒体と接するように配置する。この場合、電極エッジは隔壁に隠れないように配置するのが好ましい。
【００５８】
図６（ａ）〜図８（ａ）は本発明の情報表示用パネルのセルの上面図、図６（ｂ）〜図８（ｂ）はそれぞれ図６（ａ）〜図８（ａ）のＡ−Ａ断面図である。図６〜図８において、いずれも四角形のセルの中央に中央凸状部材１１を設け、中央凸状部材１１とセルを形成する４辺の隔壁４との間には空間を設けてある。この空間に背面側基板の電極に引き付けられた表示媒体が配置される。図６〜図８の違いはその断面図に示すように、中央凸状部材１１の形状にあり、図６（ｂ）では中央凸状部材１１はその上部が曲率半径の大きい曲面形状であり、図７（ｂ）では中央凸状部材１１は三角屋根の形状であり、図８（ｂ）では中央凸状部材１１は角柱の上に三角屋根を重ねた形状である。
【００５９】
なお、図６（ｂ）において示すように、中央凸状部材１１の高さＨｔが、対向する電極５、６の間の距離Ｈｗに対して、
Ｈｗ／４≦Ｈｔ≦Ｈｗ／２
を満たすことが好適である。Ｈｔ＜Ｈｗ／４の場合、表示媒体を構成する粒子が中央凸状部材１１と隔壁４との空間に収まりきらずに、中央凸状部材１１との上にも配置されてしまうおそれがある。また、Ｈｗ／２＜Ｈｔの場合、表示媒体を構成する粒子が中央凸状部材１１の上部を移動しにくく、表示面となる基板面全体に広がりにくいというおそれがある。
【００６０】
また、中央凸状部材１１と、セルを形成する隔壁４のうち少なくとも１辺の隔壁との間に空間を設ける場合、中央凸状部材１１と隔壁４との距離Ｗｔが、表示媒体を構成する粒子の平均粒子径ｄ（０．５）に対して、
３×ｄ（０．５）≦Ｗｔ
を満たすことが好適である。上記の範囲にない場合、表示媒体を構成する粒子が中央凸状部材１１と隔壁４との空間に移動しにくかったり、納まりきらなかったりするおそれがある。
【００６１】
また、中央凸状部材１１の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことが好適である。上記の範囲としたのは、表示面側基板から中央凸状部材までの距離Ｈｗ−Ｈｔが小さいと、表示媒体を構成する粒子が移動しにくく、距離Ｈｗ−Ｈｔが大きいと、表示媒体を構成する粒子を移動させるために駆動電圧を高くする必要があるからである。
【００６２】
図９（ａ）、図１０（ａ）は本発明の情報表示用パネルの他の例となるセルの上面図、図９（ｂ）、図１０（ｂ）はそれぞれ図９（ａ）、図１０（ａ）のＡ−Ａ断面図、図９（ｃ）、図１０（ｃ）はそれぞれ図９（ａ）、図１０（ａ）のＢ−Ｂ断面図である。図９、図１０において、いずれも四角形のセルの対向する２辺の隔壁に接するように中央凸状部材１１を設け、その他の２辺の隔壁と中央凸状部材１１との間に空間を設け、この空間に背面側基板の電極に引き付けられた表示媒体が配置される。図９では、中央凸状部材１１と接する隔壁がセルの長辺であり、図１０では、中央凸状部材１１と接する隔壁４がセルの短辺である。図９、図１０のその他の違いは、その断面図に示すように、中央凸状部材１１の形状にあり、図９（ｂ）に示すように中央凸状部材１１は三角屋根の形状であり、図１０（ｃ）に示すように中央凸状部材１１は角柱の上に三角屋根を重ねた形状である。中央凸状部材の水平方向の断面形状は、セル形状と合わせるのが好ましく、角丸付き四角形が好ましい。表示媒体の動きやすさを得るために、側面は平滑にするのが好ましい。
【００６３】
次に、本発明の情報表示用パネルの１表示単位の構成例を、図１１（ａ）、（ｂ）〜図１６（ａ）、（ｂ）に基づき説明する。なお、図１１（ａ）〜図１６（ａ）はそれぞれ白表示時、図１１（ｂ）〜図１６（ｂ）は図１１（ａ）〜図１６（ａ）のそれぞれに対応する黒表示時の本発明の情報表示用パネルの１表示単位の構成例である。
【００６４】
図１１（ａ）、（ｂ）に示す例では、１表示単位を、図中点線で囲むように、白色表示媒体を封入したセル１つと黒色表示媒体を封入したセル１つとの２つにより構成している。図１２（ａ）、（ｂ）に示す例では、１表示単位を、図中点線で囲むように、白色表示媒体を封入したセル４つと黒色表示媒体を封入したセル２つとの６つにより構成している。図１３（ａ）、（ｂ）に示す例では、１表示単位を、図中点線で囲むように、白色表示媒体を封入したセル４つと黒色表示媒体を封入したセル２つとの６つにより構成している。図１４（ａ）、（ｂ）に示す例では、１表示単位を、図中点線で囲むように、白色表示媒体を封入したセル３つと黒色表示媒体を封入したセル３つとの６つにより構成している。図１５（ａ）、（ｂ）および図１６（ａ）、（ｂ）に示す例は、それぞれ、上述した図１１（ａ）、（ｂ）〜図１４（ａ）、（ｂ）に示した例と中央凸状部材１１の形状が異なっている。そして、図１５（ａ）、（ｂ）および図１６（ａ）、（ｂ）に示す例とも、１表示単位を、図中点線で囲むように、白色表示媒体を封入したセル１つと黒色表示媒体を封入したセル１つとの２つにより構成している。
【産業上の利用可能性】
【００６５】
本発明の情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of Presence、Point Of Purchase advertising）、電子値札、電子棚札、電子楽譜、ＲＦ−ＩＤ機器の表示部、ＰＯＳ端末、カーナビゲーション装置、時計など様々な電子機器の表示部のほか、外部電界形成手段により表示書き換えを行う表示部（いわゆるリライタブルペーパー）に好適に用いられる。
【００６６】
なお、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式など、種々のタイプの駆動方式を適用することができる。
【図面の簡単な説明】
【００６７】
【図１】（ａ）、（ｂ）はそれぞれ本発明の情報表示用パネルの一例を示す図である。
【図２】（ａ）、（ｂ）はそれぞれ本発明の情報表示用パネルの他の例を示す図である。
【図３】（ａ）、（ｂ）はそれぞれ本発明の情報表示用パネルのさらに他の例を示す図である。
【図４】（ａ）、（ｂ）はそれぞれ本発明の情報表示用パネルのさらに他の例を示す図である。
【図５】（ａ）、（ｂ）はそれぞれ本発明の情報表示用パネルのさらに他の例を示す図である。
【図６】（ａ）、（ｂ）はそれぞれ本発明の情報表示用パネルのセル構成の一例を示す図である。
【図７】（ａ）、（ｂ）はそれぞれ本発明の情報表示用パネルのセル構成の他の例を示す図である。
【図８】（ａ）、（ｂ）はそれぞれ本発明の情報表示用パネルのセル構成のさらに他の例を示す図である。
【図９】（ａ）〜（ｃ）はそれぞれ本発明の情報表示用パネルのセル構成のさらに他の例を示す図である。
【図１０】（ａ）〜（ｃ）はそれぞれ本発明の情報表示用パネルのセル構成のさらに他の例を示す図である。
【図１１】（ａ）、（ｂ）はそれぞれ本発明の情報表示用パネルにおける１表示単位の構成の一例を示す図である。
【図１２】（ａ）、（ｂ）はそれぞれ本発明の情報表示用パネルにおける１表示単位の構成の他の例を示す図である。
【図１３】（ａ）、（ｂ）はそれぞれ本発明の情報表示用パネルにおける１表示単位の構成のさらに他の例を示す図である。
【図１４】（ａ）、（ｂ）はそれぞれ本発明の情報表示用パネルにおける１表示単位の構成のさらに他の例を示す図である。
【図１５】（ａ）、（ｂ）はそれぞれ本発明の情報表示用パネルにおける１表示単位の構成のさらに他の例を示す図である。
【図１６】（ａ）、（ｂ）はそれぞれ本発明の情報表示用パネルにおける１表示単位の構成のさらに他の例を示す図である。
【図１７】（ａ）、（ｂ）はそれぞれ従来の帯電粒子電界駆動方式表示パネルの代表例である。
【図１８】（ａ）、（ｂ）はそれぞれ従来の帯電粒子電界駆動方式表示パネルの他の代表例である。
【符号の説明】
【００６８】
１、２  基板
３Ｂ＋  黒色正帯電粒子
３Ｗ−  白色負帯電粒子
３Ｔ−  透明無色負帯電粒子
３Ｔ＋  透明無色正帯電粒子
３Ｒ＋  赤色正帯電粒子
４  隔壁
５、６  電極
７、８  セル
１１  中央凸状部材
１１Ｂ  黒色中央凸状部材
１１Ｗ  白色中央凸状部材
１１Ｒ  赤色中央凸状部材
１２、１３  導電部材
１５  カラーフィルター
１５Ｒ  赤色カラーフィルター
１５Ｇ  緑色カラーフィルター
１５ＢＬ  青色カラーフィルター
【図１】
2009128766.tif 000003
【図２】
2009128766.tif 000004
【図３】
2009128766.tif 000005
【図４】
2009128766.tif 000006
【図５】
2009128766.tif 000007
【図６】
2009128766.tif 000008
【図７】
2009128766.tif 000009
【図８】
2009128766.tif 000010
【図９】
2009128766.tif 000011
【図１０】
2009128766.tif 000012
【図１１】
2009128766.tif 000013
【図１２】
2009128766.tif 000014
【図１３】
2009128766.tif 000015
【図１４】
2009128766.tif 000016
【図１５】
2009128766.tif 000017
【図１６】
2009128766.tif 000018
【図１７】
2009128766.tif 000019
【図１８】
2009128766.tif 000020